(57)【要約】【課題】  防寒用ズボン内部で暖められた空気が有する熱の内部から外部への放出を効果的に抑制して保温効果を増大することができる防寒用ズボンを提供する。【解決手段】  ズボン本体２のはき口部９０の一部に、内部に柔軟な断熱材１２を有すると共にはき口部９０の他の部分の厚さよりも厚い保温層１１が設けられていることを特徴とする。【選択図】図１
2007023424.tif 000002
【特許請求の範囲】
【請求項１】
ズボン本体のはき口部の一部に、内部に柔軟な断熱材を有すると共にはき口部の他の部分の厚さよりも厚い保温層が設けられていることを特徴とする防寒用ズボン。
【請求項２】
保温層ははき口部の周方向に伸びていることを特徴とする請求項１に記載の防寒用ズボン。
【請求項３】
保温層が上下方向に複数並んでいることを特徴とする請求項２に記載の防寒用ズボン。
【請求項４】
保温層ははき口部の人体の腰部に対応する部分に設けられていることを特徴とする請求項１乃至請求項３の何れかに記載の防寒用ズボン。
【請求項５】
ズボン本体の内側に発熱体を収納するポケットが設けられ、保温層がポケットの開口部の周方向に対応した位置に設けられていることを特徴とする請求項１乃至請求項４の何れかに記載の防寒用ズボン。
【請求項６】
保温層の断熱材は多孔質断熱材であることを特徴とする請求項１乃至請求項５の何れかに記載の防寒用ズボン。
【発明の詳細な説明】
【技術分野】
【０００１】
本発明は、釣り等に用いられる防寒用ズボンに関する。
【背景技術】
【０００２】
従来、釣り等に用いられる防寒用ズボンとしては、例えば表布と裏布とを備え、表布と裏布との間に空気層を有するものが公知である。このような防寒用ズボンは、空気層にて防寒用ズボン内部の熱が外部に放出するのを抑制することによって、防寒用ズボン内部を保温するものである（下記特許文献１参照）。
【特許文献１】特開２００５−０４２２１６号公報
【発明の開示】
【発明が解決しようとする課題】
【０００３】
しかしながら、上記従来の防寒用ズボンにあっては、防寒用ズボン内部で人体の体温等により暖められた空気は、防寒用ズボン内部を上昇する。空気が上昇すると、それが有する熱が防寒用ズボンのはき口部を介して内部から外部へ伝わって放出するので、十分な保温効果が得られない場合があった。
【０００４】
そこで、本発明は、上記従来の問題に鑑みてなされ、防寒用ズボン内部で暖められた空気が有する熱の内部から外部への放出を効果的に抑制して保温効果を増大することができる防寒用ズボンを提供することを課題とする。
【課題を解決するための手段】
【０００５】
本発明は、上記課題を解決すべくなされたものであり、本発明に係る防寒用ズボンは、ズボン本体のはき口部の一部に、内部に柔軟な断熱材を有すると共にはき口部の他の部分の厚さよりも厚い保温層が設けられていることを特徴とする。
【０００６】
該構成の防寒用ズボンにあっては、はき口部に保温層が設けられているので、ズボン本体の内部で暖められ、人体とズボン本体との間を上昇してきた空気が有する熱が、内部から外部へ向けてはき口部を伝わると、その熱は断熱材に蓄えられて外部への放出が抑制される。
【０００７】
特に、保温層ははき口部の周方向に伸びていることが好ましい。このようにすると、内部から外部へ向けてはき口部を伝わっていく熱を、周方向に広く断熱材に蓄えることができるという利点がある。
【０００８】
また、保温層が上下方向に複数並んでいることが好ましい。上昇してきた空気が有する熱が人体とズボン本体との間を下側の保温層よりも更に上側に伝わって、そこから内部から外部へ向けてはき口部を伝わっていくような場合であっても、その熱を上側の保温層で段階的に蓄えることができる。また、それぞれの保温層が人体の上下方向の形状に沿った配置となりやすく不必要に人体から離れない。よって、それぞれの保温層が効率良く熱を蓄えることができる。
【０００９】
更に、保温層ははき口部の人体の腰部に対応する部分に設けられていることが好ましい。通常、はき口部の人体の腰部に対応する部分からはズボン本体の内部の熱が外側へ放出しやすいので、保温層をはき口部の人体の腰部に対応する部分に設けることによって、内部から外部へ向けてはき口部の人体の腰部に対応する部分を伝わっていく熱を断熱材に蓄えることができ、効果的に熱の放出を抑制することができる。
【００１０】
また更に、ズボン本体の内側に発熱体を収納するポケットが設けられ、保温層がポケットの開口部の周方向に対応した位置に設けられていることが好ましい。ポケットに収納された発熱体によって暖められた空気は、ポケットの開口部に向けて上昇してくる。上昇した空気が有する熱は、人体側から外部へ向けてはき口部を伝わり断熱材に蓄えられるので、発熱体より発生した熱の外部への放出を効果的に抑制することができる。
【００１１】
また、保温層の断熱材は多孔質断熱材であることが好ましい。断熱材が多孔質であると効率良く熱を蓄えることができる。
【発明の効果】
【００１２】
このように、本発明に係る防寒用ズボンにあっては、はき口部の一部に保温層が設けられているので、ズボン本体の内部で暖められ上昇した空気が有する熱が、内部から外部へ向けてはき口部を伝わり外部へ放出するのを効果的に抑制できる。従って、熱が放出しやすいはき口部で熱を留めておくことができるので保温効果が増大するという効果を奏する。
【発明を実施するための最良の形態】
【００１３】
以下、本発明に係る防寒用ズボンの一実施形態について図面を参酌しつつ説明する。
図１に、本実施形態における防寒用ズボン１が示されている。該防寒用ズボン１は、釣り等に用いられる長ズボン型の衣服であり、ズボン本体２と背当部３と一対の吊りベルト４とを備え、背当部３は吊りベルト４を介してズボン本体２に接続されている。
【００１４】
ズボン本体２は、はき口Ｗを有する上方が開口した長ズボン型であり、はき口Ｗの周縁部にははき口部９０を備える。はき口部９０はウエストバンド部８０備えており、ウエストバンド部８０は、図３に示すように、内帯布７と外帯布８とが、その間に芯材９を介在させた状態で、それぞれの上端同士が互いに縫い付けられて形成される。内帯布７と外帯布８のそれぞれの下端には、表布５と裏布６の上端がそれぞれ縫い付けられている。表布５と裏布６との間には空気層Ａが形成されている。
【００１５】
内帯布７と外帯布８とはそれぞれズボン本体２の周方向略全周に亘って伸びる帯状であるが、外帯布８は、その人体Ｈの腰部に対応する部分が下方に向けて舌片状に幅広となっている。内帯布７と外帯布８とは、人体Ｈの腰部に対応する部分にスライドファスナーＳＦと舌片１４とを介している。舌片１４はウエストバンド部８０の上端縁８０ａから上側に舌片状に突出している。舌片１４は周方向に長い略長方形状であり、後方視左側端部にドットボタンＤＢの雄側が設けられている。外帯布８の人体Ｈの腰部に対応する部分、即ち、上下方向に幅広となっている部分には保温体１０が設けられている。
【００１６】
保温体１０は、図２に示すように、外帯布８の周方向に伸びる略長方形状であり、その下側の辺１０ｂは下方に凸となる曲線状である。保温体１０の周方向の長さは、少なくとも防寒用ズボン１を着用した人体Ｈの脊椎とその両側を覆うような長さである。保温体１０の上下方向の長さは、外帯布８の幅広となっている部分の上下方向の長さにほぼ等しい。保温体１０は、その上端縁１０ａが外帯布８の上端縁８ａに略一致し、下端縁１０ｂが外帯布８の下端縁８ｂに略一致するように配置されており、その周方向の中央がズボン本体２の左右両後身頃の縫い合わせ位置Ｓ上に略一致する。即ち、保温体１０は、外帯布８の幅広となっている部分の略全域に設けられている。保温体１０は、断熱性を有する保温層１１が上下に複数並んで一体となったものである。
【００１７】
保温層１１は、図２に示すように、外帯布８の周方向に長い略長方形状である。保温層１１の周方向の長さは、少なくとも防寒用ズボン１を着用した人体Ｈの脊椎とその両側を覆うような長さであって、保温体１０の周方向の長さに相当する。保温層１１の前後方向の厚さは、図３に示すように、外帯布８の他の部分に比して厚くなっている。本実施形態では、外帯布８から後方側に、例えば５ｍｍ乃至１０ｍｍ程度厚くなっている。保温層１１は、内側に柔軟性を有する多孔質な断熱材１２を、外側にズボン本体２の表布５と同じ材質のカバー体１３を配置した層状をなしている。保温層１１は、カバー体１３の周縁部を外帯布８に縫い付けることによって、外帯布８とカバー体１３との間に断熱材１２を封入した状態で取り付けられる。本実施形態では、保温層１１は外帯布８から後方側に層を成すように形成されている。尚、断熱材１２としては、例えばポリウレタンやゴム等を発砲させたスポンジ等が挙げられるが、柔軟性、弾力性を有し復元力のある多孔質断熱材１２であれば、防寒用ズボン１を着用した人体Ｈの形状に沿った形状になりやすいので好ましい。
【００１８】
このような構成の保温層１１が、上下方向に複数並ぶことによって上述の保温体１０が形成される。即ち、第一保温層１１１としてその上端縁１１１ａが外帯布８の上端縁８ａに略一致し、その周方向の中央の位置がズボン本体２の左右両後身頃の縫い合わせ位置Ｓに略一致するように配置される。そして、その下側に隣接するように第二保温層１１２が配置され、更にその下側に第三保温層１１３、第四保温層１１４及び第五保温層１１５が、それぞれ順番に下方に隣接して並ぶように配置される。各保温層１１１，１１２，１１３，１１４，１１５は、外帯布８に縫い付けられ、保温体１０が形成される。ちなみに、第五保温層１１５の下側の辺１１５ａは下に凸となるような曲線状であり、保温体１０の下側の辺を１０ｂ形成し、外帯布８の下側の辺８ｂに略一致している。本実施形態では、１つの保温層１１が、５つの保温層１１１，１１２，１１３，１１４，１１５にほぼ均等に区分けされるように所定の位置に縫目ＰＳが設けられた態様となっている。即ち、上下方向の長さが保温体１０の上下方向の長さにほぼ等しい保温層１１を、そのカバー体１３の周縁部を外帯布８に縫付けて取り付ける。そして、その保温層１１を上下方向に略五等分して第一乃至第五保温層１１１，１１２，１１３，１１４，１１５となるように周方向略全域に亘って縫目ＰＳを設けて保温層１１を仕切る。
【００１９】
保温体１０の周方向両端には、一対のベルト接続体１５が設けられている。ベルト接続体１５は、環状を成すように前後方向に折り返された伸縮自在のゴム片１５ａと、ゴム片１５ａと係合しているベルト接続リング１５ｂとを備える。ゴム片１５ａの両端部は保温体１０の側端部に縫付けられており、第一保温層１１１から第三保温層１１３にかけて上下方向に伸びている。ベルト接続リング１５ｂは、略矩形の枠形状をなしており、周方向略中央の位置に棒状部が上下方向全域に亘って設けられている。
【００２０】
外帯布８の外側には左右一対の伸縮自在の腰ベルト１６が、外帯布８の周方向に沿って設けられている。腰ベルト１６は、一端が外帯布８の前側に取り付けられ、外帯布８の周方向に沿って後方側へ伸び、保温体１０が設けられている位置程度まで伸びている。腰ベルト１６は、ベルト接続リング１５ｂの棒状部に巻きつけるようにして折り返し、折り返した方向に引っ張ることによって、ウエストバンド部８０を周方向に対して締め付けることができる。
【００２１】
一方、ズボン本体２の内側には、図４に示すように、発熱体Ｆを収納するポケット１７が設けられている。尚、図４は、防寒用ズボン１を前側から見た図であるが、ズボン本体２の内側が見えるようズボン本体の前側を左右に開いた状態を示している。ポケット１７は、上下方向に長い略長方形状のポケット壁１８の両側端部と下端部とをズボン本体２の裏布６の前側にそれぞれ縫付けることによって上部が開口した袋状を成している。ポケット壁１８は、ズボン本体２の裏布６と同じ材質である。ポケット１７の開口部１９と保温体１０とは周方向に対応した配置となっている。本実施形態では、開口部１９は、その周方向の長さが保温体１０の周方向の長さより少し小さくなっており、その周方向の略中央の位置は、保温層１０の周方向の略中央の位置と略一致している。即ち、開口部１９は、その周方向全域が保温層１０の周方向の両端の間に収まるように配置されている。そして、ポケット壁１８の上端縁１８ａは第三保温層１１３の位置となっている。つまり、ポケット１７の開口部１９は、図３に示すように、外帯布８の上端縁８ａから下方に離間しており、ほぼ第三保温層１１３が配置されている位置と等しい位置となっている。また、ポケット１７の下端は保温体１０より下方に位置しており、ポケット１７内部に収納された発熱体Ｆは、保温体１０の下側に位置するようになっている。尚、裏布６とポケット壁１８とは面ファスナーＦＦを介して接続することができ、ポケット１７は開閉自在となっている。
【００２２】
吊りベルト４を介してズボン本体２に接続される背当部３は、図１に示すように、上下方向に長い矩形形状で、下側ほど周方向に幅広になっている。背当部３の下端部３ｂの長さは、保温体１０の周方向の長さより長い。背当部３の上端部３ａにはその両端に吊りベルト４の後端部がそれぞれ接続されており、下端部３ｂには防寒用ズボン１を着用した人体Ｈの左側に対応する隅部にドットボタンＤＢの雌側が設けられている。背当部３は、その上端部３ａが吊りベルト４を介してズボン本体２のウエストバンド部８０の前側に接続され、下端部３ｂがスライドファスナーＳＦを介してウエストバンド部８０の後側に接続される。スライドファスナーＳＦは、保温体１０の周方向の長さより長くなっており、背当部３の下端部３ｂの略全域に設けられる。また、背当部３はドットボタンＤＢを介して舌片１４と接続される。
【００２３】
吊りベルト４は、伸縮自在の帯状であり、長さ調節が可能となるように構成されている。吊りベルト４は、左右に一対設けられ、その一端がズボン本体２のウエストバンド部８０の前側に設けられたリングに接続され、他端が背当部３の上端部３ａにそれぞれ接続されている。
【００２４】
以上の構成の防寒用ズボン１は、以下のように人体Ｈに着用する。
まず、ズボン本体２を人体Ｈの下半身に着用し、左右の吊りベルト４と背当部３とで囲まれる領域に人体Ｈの頭部を挿入して、左右の吊りベルト４を人体Ｈの肩部に掛ける。そして、人体Ｈの背後側に位置している背当部３をスライドファスナーＳＦを介してウエストバンド部８０の上端縁８０ａの人体Ｈの腰部に対応する部分に接続する。このとき背当部３は、ウエストバンド部８０の上端縁８０ａから突出した舌片１４の後側に位置する。そして、背当部３をドットボタンＤＢを介して舌片１４に接続する。最後に、腰ベルト１６をベルト接続体１５に接続してウエストバンド部８０を人体Ｈの腰部に対して締める。こうして、図５に示すような着用状態となる。
【００２５】
以上の構成からなる防寒用ズボン１にあっては、外帯布８に保温体１０が設けられている。よって、ズボン本体２内部で発熱体Ｆや体温等によって暖められ、人体Ｈとズボン本体２との間を上昇してきた空気が有する熱が、内部から外部へ向けて外帯布８を伝わると、その熱は断熱材１２に蓄えられることとなる。従って、熱が放出しやすいはき口部９０で熱を留めておくことができるので、ズボン本体２内部の放熱が効果的に抑制されて保温効果が増大することとなる。
【００２６】
また、保温体１０は、人体Ｈの脊椎とその両側に亘る周方向に長い形状であるので、内部から外部へ向けて外帯布８を伝わる熱を、断熱材１２によって周方向に広く蓄えることができる。よって、より効果的に保温効果を増大させることができる。
【００２７】
更に、保温体１０は、第一乃至第五保温層１１１，１１２，１１３，１１４，１１５の５つの保温層１１が上下方向に並んでいるので、上昇してきた空気が有する熱が人体Ｈとズボン本体２との間を下側の保温層１１より上側に伝わって、そこから内部から外部へ向けて外帯布８を伝わっていくような場合でも、その熱を上側の保温層１１で段階的に蓄えることができる。また、図６に示すように、それぞれの保温層１１１，１１２，１１３，１１４，１１５が人体の上下方向の形状に沿った配置となりやすく不必要に人体Ｈから離れにくい。よって、それぞれの保温層１１が効率良く内部から外部へ向けて外帯布８を伝わる熱を蓄えることができる。
【００２８】
更に、通常ははき口部９０の人体Ｈの腰部に対応する部分からはズボン本体２の内部の熱が放出しやすいので、保温体１０を外帯布８の人体Ｈの腰部に対応する部分に設けることによって、そこから内部から外部へ向けて外帯布８を伝わっていく熱を断熱材１２に蓄えることができ、効果的に熱の放出を抑制することができる。
【００２９】
また更に、開口部１９の後方側には、その周方向全域に亘るように保温体１０が設けられている。よって、ポケット１７に収納された発熱体Ｆによって暖められた空気がポケット１７の開口部１９に向けて上昇すると、その空気が有する熱が人体側から外部へ向けて外帯布８を伝わり保温体１０の断熱材１２に蓄えられる。従って、発熱体より発生した熱の外部への放出を効果的に抑制できるという利点がある。
【００３０】
また、腰ベルト１６にてウエストバンド部８０をその周方向に対して締めることによって、保温体１０は人体Ｈに密着した状態になるので、上昇してきた空気が有する熱を効率良く断熱材１２に蓄えることができるという利点がある。
【００３１】
また、背当部３は、その上端部３ａが吊りベルト４を介してズボン本体２のウエストバンド部８０の前側に接続され、下端部３ｂがスライドファスナーＳＦを介してウエストバンド部８０の後側に接続されている。よって、背当部３は吊りベルト４によって上方に引っ張られた状態となるので、外帯布８も背当部３によって上方に引っ張られた状態となり、保温体１０は人体Ｈに密着した状態になる。よって、上昇してきた空気が有する熱を効率良く蓄えることができ、より効果的に保温効果を増大させることができる。
【００３２】
尚、本実施形態では、保温体１０は第一乃至第五保温層１１１，１１２，１１３，１１４，１１５を上下方向に隣接して並べて形成する場合について説明したが、これに限られず、５つ以上または５つ以下の保温層１１を並べて形成する場合であってもよいし、また、１つの保温層１１のみによって保温体１０を形成している場合であってもよい。
【００３３】
また、本実施形態では、保温層１１は外帯布８から後方側に層を成すように形成される場合について説明したが、これに限られず、内帯布７から前方側に層を成すように形成される場合であってもよい。また、外帯布８から後方側に保温層１１を設けるとともに内帯布７から前方側に保温層１１を設ける場合であってもよい。
【００３４】
更に、本実施形態では、ポケット壁１８の上端縁１８ａは第三保温層１１３の上下方向の位置となっている場合について説明したが、これに限られず、例えば保温体１０の下側に位置している場合であってもよい。
【００３５】
また更に、本実施形態では、ポケット１７の開口部１９の周方向の長さが保温体１０の周方向の長さより少し小さくなっている場合について説明したが、これに限られず、保温体１０の周方向の長さより大きい場合であってもよい。また、保温体１０をズボン本体２の内側に設け、その一部がポケット１７に収納されているような場合であってもよい。
【００３６】
また、本実施形態では、保温体１０が外帯布８に設けられる場合について説明したが、これに限られず、例えば、外帯布８の下側に設ける場合であってもよいし、外帯布８の下側に保温体１０の一部をはみ出して設けている場合であってもよい。何れにしても、はき口Ｗの周縁部であるはき口部９０に保温体１０が設けられることによって、ズボン本体２と人体Ｈとの間から外部へ向けてはき口部９０を伝わる熱を、そこで留めておくことができる。
【図面の簡単な説明】
【００３７】
【図１】本発明の一実施形態に係る防寒用ズボン１を示す背面図。
【図２】同防寒用ズボン１の要部拡大図。
【図３】図２のＰ−Ｐ線断面図。
【図４】防寒用ズボン１の内部を示す正面図。
【図５】防寒用ズボン１を着用した様子を示す背面斜視図。
【図６】図５のＱ−Ｑ線断面図。
【符号の説明】
【００３８】
１…防寒用ズボン、２…ズボン本体、３…背当部、４…吊りベルト、５…表布、６…裏布、７…内帯布、８…外帯布、９…芯材、１０…保温体、１１…保温層、１２…断熱材、１３…カバー体、１４…舌片、１５…ベルト接続体、１６…腰ベルト、１７…ポケット、１８…ポケット壁、１９…開口部、８０…ウエストバンド部、９０…はき口部、１１１…第一保温層、１１２…第二保温層、１１３…第三保温層、１１４…第四保温層、１１５…第五保温層、Ａ…空気層、Ｆ…発熱体、Ｈ…人体、Ｓ…縫い合わせ位置、Ｗ…はき口、ＤＢ…ドットボタン、ＦＦ…面ファスナー、ＰＳ…縫目、ＳＦ…スライドファスナー
【図１】
2007023424.tif 000003
【図２】
2007023424.tif 000004
【図３】
2007023424.tif 000005
【図４】
2007023424.tif 000006
【図５】
2007023424.tif 000007
【図６】
2007023424.tif 000008